(57)【要約】【課題】接続した受像機に合わせて最適な映像フォーマットに切りかえることが可能な映像表示装置を提供する。【解決手段】ＯＳＤコントローラ４でＯＳＤを描画し、重ね合わせ器３でＯＳＤを表示後、ユーザーがリモコン等１０の入力手段によってＣＰＵ５に指示を与えて複数の異なる映像フォーマットを変換せずそのまま出力したり、フォーマットを変換して順次４８０Ｉ、４８０Ｐ、１０８０Ｉ、７２０Ｐ信号を出力し、映像出力回路７をかいしてＤ端子で出力し受像機９に接続する。また、音声出力回路８ではＣＰＵ５により音源の出力に切りかえて受像機９に接続する。この音声出力でユーザーに映像表示可能かを問い合わせて、ユーザーはこの問い合わせされた音声に基づき、リモコン等１０の入力手段によって、接続されたモニタが表示できる最適な映像フォーマットを選択することが可能となる。【選択図】図１
2005117306.tif 000002
【特許請求の範囲】
【請求項１】
複数の異なる映像フォーマットを順次出力可能とする表示制御手段と、前記複数の異なる映像フォーマット信号を受像機に表示可能かどうかを判断するための入力手段とを備えたことを特徴とする映像表示装置。
【請求項２】
請求項１に記載の映像表示装置において、前記複数の異なる映像フォーマットを順次出力可能とする表示制御手段が、映像の上に番組情報や文字図形等を表示可能なＯＳＤ（Ｏｎ  Ｓｃｒｅｅｎ  Ｄｉｓｐｌａｙ）コントローラとＯＳＤを映像に重ね合わせた後、映像のフォーマットを変換して出力するフォーマット変換回路を備えたことを特徴とする映像表示装置。
【請求項３】
請求項１に記載の映像表示装置において、前記複数の異なる映像フォーマット信号を受像機に表示可能かどうかを判断するための入力手段が、音声の問い合わせに対して入力することを特徴とする映像表示装置。
【発明の詳細な説明】
【技術分野】
【０００１】
本発明は、テレビ受像機と接続する端子（例えばＤ端子）を備え、複数の映像フォーマットを表示可能な映像表示装置に関するものである。
【背景技術】
【０００２】
デジタル放送を受信する映像表示装置において、高画質の映像信号をテレビ受像機（以下、受像機）に表示するため輝度信号（Ｙ信号）と２つの色差信号（Ｐｂ、Ｐｒ信号）よりなるコンポーネント映像信号を出力する機能を備えている。そして、映像表示装置と受像機を１本のケーブルで接続して、受像機にＹ、Ｐｂ、Ｐｒ信号を入力できるＤ端子も規格化されている。一方、デジタル放送にて放送されるあるいは蓄積された映像信号のフォーマットは、有効走査線数、走査周波数、走査方式の違いによって複数存在する。
【０００３】
例えば、走査線４８０本のインタレース（４８０Ｉ）と、プログレッシブ（４８０ｐ）や、走査線１０８０本のインタレース（１０８０Ｉ）や走査線数７２０本のプログレッシブ（７２０ｐ）が規定されている。従って、映像表示装置から受像機へと入力される映像信号のフォーマットは、４８０Ｉ、４８０Ｐ、１０８０Ｉ、７２０Ｐのように複数存在する。
【０００４】
映像表示装置からの映像信号が入力される受像機が、１０８０Ｉの信号に対応したものであれば１０８０Ｉの信号をそのまま受像機に入力すればよいが、４８０Ｉの信号しか表示できない受像機に１０８０Ｉの信号を入力したのでは、その映像信号を表示できないため、映像フォーマット変換回路を備えており、受信した映像信号のフォーマットを他のフォーマットに変換して出力する機能を有している。
【０００５】
しかし、従来の映像表示装置ではどのような受像機に接続しても映像が表示可能なよう、工場出荷時において、出力される映像信号のフォーマットを４８０Ｉ（Ｄ１）と初期設定してあった場合において、ユーザーが接続モニタが何が表示可能か知識が無い場合、１０８０Ｉの信号が表示可能な受像機を使用していても、実際には１０８０Ｉの高解像度の映像が放送されているにもかかわらず、４８０Ｉの低解像度の映像を視聴することになるという問題があった。
【０００６】
また、工場出荷時において、出力される映像信号のフォーマットを１０８０Ｉ（Ｄ３）と初期設定してあった場合において、ユーザーが接続モニタが何が表示可能か知識が無い場合、４８０Ｉの信号のみ表示可能な受像機を使用していた場合、１０８０Ｉの放送であれば、受像機に全く映像が表示されず、ＯＳＤによるメニュー画面にて出力される映像信号のフォーマットを切りかえることすらできない問題があったために、受像機側から映像表示装置に対して表示可能フォーマットを通知して、映像表示装置側でその通知された表示可能な映像フォーマット情報により、自動的に映像信号のフォーマットを切りかえる映像表示装置がある（例えば特許文献１を参照）。
【特許文献１】特開２００１−１８９８９７号公報
【発明の開示】
【発明が解決しようとする課題】
【０００７】
しかしながら、従来の映像表示装置では受像機側に表示可能フォーマット情報を映像表示装置側に例えばＤ端子を使って通知する機能を備えていない限り、実際には高解像度で表示できるにも関わらず低解像度で表示したり、あるいは受像機側で表示不可能な映像信号を受信した場合に受像機に全く映像が表示されないという課題があった。
【０００８】
本発明はこのような問題点に鑑みなされたものであり、複数の異なる映像フォーマットを接続した受像機で最適な映像フォーマットで視聴できる映像表示装置を提供することを目的とする。
【課題を解決するための手段】
【０００９】
この改善策として、本発明の請求項１に記載の映像表示装置は、複数の異なる映像フォーマットを順次出力可能とする表示制御手段と、前記複数の異なる映像フォーマット信号を受像機に表示可能かどうかを判断するための入力手段とを備えたものである。これにより、接続した受像機に応じて最適な映像フォーマットで表示することが可能となる。
【００１０】
また、本発明の請求項２に記載の映像表示装置は、請求項１記載の映像表示装置において、前記複数の異なる映像フォーマットを順次出力可能とする表示制御手段が、映像の上に番組情報や文字図形等を表示可能なＯＳＤ（Ｏｎ  Ｓｃｒｅｅｎ  Ｄｉｓｐｌａｙ）コントローラとＯＳＤを映像に重ね合わせた後、映像のフォーマットを変換して出力するフォーマット変換回路を備えたものである。これにより、放送される映像信号を受信せずに接続した受像機に応じて最適な映像フォーマットで表示することが可能となる。
【００１１】
また、本発明の請求項３に記載の映像表示装置は、請求項１記載の映像表示装置において、前記複数の異なる映像フォーマット信号を受像機に表示可能かどうかを判断するための入力手段が、音声の問い合わせに対して入力する手段を備えたものである。これにより、ユーザーは音声の問い合わせに対して設定をしていくだけで接続した受像機に応じて最適な映像フォーマットで表示することが可能となる。
【発明の効果】
【００１２】
解決しようとする問題点は、ユーザーが接続した受像機に対して、高解像度の映像が放送されていても、低解像度の映像で視聴したり、あるいは低解像度の映像でしか表示できない受像機に接続した場合に、誤って高解像度の表示設定にして受像機に全く映像が表示されないといった課題を解決できる。
【発明を実施するための最良の形態】
【００１３】
（実施の形態１）
図１は、本発明装置の１実施例の構成を示したブロック図、図２はＤ端子を通過するフォーマット、図３は本発明の複数の異なる映像フォーマットを順次出力可能とする表示制御手段と映像フォーマット信号を受像機に表示可能かどうかを判断するための入力手段の一例を示すフローチャートである。
【００１４】
まず、本発明の映像表示装置について説明する。図１において１より入力されるトランスポートストリームはトランスポートＡＶデコード回路３に入力される。トランスポートＡＶデコード回路３は、入力されたトランスポートストリームからビデオパケット・オーディオパケットを抽出し、各々デコードを行って、デジタル映像信号・オーディオ信号を出力する。このデジタル映像信号は制御部であるＣＰＵ５による制御に応じてＯＳＤコントローラ４でＯＳＤを描画し重ねあわせた後３、フォーマット変換回路６に入力される。ユーザーが制御部であるリモコン送信機１０の入力手段によってＣＰＵ５に指示を与えて複数の異なる映像フォーマット（走査線数、走査周波数等）を変換せずそのまま出力したり、フォーマットを変換して順次４８０Ｉ、４８０Ｐ、１０８０Ｉ、７２０Ｐ信号を出力する。なお、ＯＳＤコントローラ４を備えることにより、トランスポートストリームを入力せずとも複数の異なる映像フォーマットが出力可能である。
【００１５】
フォーマット変換回路６の出力は映像出力回路７に入力される。映像出力回路７は、デジタル信号をアナログ信号に変換し、Ｙ、Ｐｂ、Ｐｒ信号としてＤ端子で出力し受像機９に接続する。
【００１６】
一方、デコードされたオーディオ信号は音声出力回路８に入力され、アナログ信号に変換され音声出力端子で出力し受像機９に接続されるが、音声出力回路８に音源を持たせて、制御部であるＣＰＵ５により音源の出力に切りかえることにより、現在出力する映像が表示されているかどうかユーザーに問い合わせることが可能となる。ユーザーはこの問い合わせされた音声に基づき、リモコン送信機１０の入力手段によって接続されたモニタが表示できる最適な映像フォーマットを選択することが可能となる。
【００１７】
図３を用いて動作を詳細に説明する。工場出荷時において、４８０Ｉ（Ｄ１）と初期設定された場合について説明する。図３ではリモコン送信機１０により接続モニタ設定モードを選択し、接続モニタに最適な映像フォーマットを表示するまでの一連のフローを示している。接続モニタ設定モードを選択すると、まず制御部であるＣＰＵ５によりＯＳＤコントローラ４で例えば１０８０Ｉの文字図形を表示させて、フォーマット変換回路６にて強制的に４８０Ｉへフォーマット変換させて表示させる。
【００１８】
これ以降、複数フォーマットを順次出力させるように制御する。まず４８０ｐを表示させる場合に、制御部であるＣＰＵ５は、フォーマット変換回路６にて強制的に４８０Ｐへフォーマット変換させる。その後、制御部であるＣＰＵ５は音声出力回路８に備えた音源にて「接続された受像機に映像が表示されているか」をユーザーに問い合わせる。ユーザーはその音声を聞いて、リモコン送信機１０により制御部であるＣＰＵ５に対して表示可能ＯＲ表示不可能の指示を与える。ＣＰＵ５は指示を受け取って、表示不可能の指示を受け取った場合強制的に４８０Ｉしか表示できないと判断し図２に示すＤ１設定を行い、接続モニタ設定を完了する。
【００１９】
表示可能の指示を受け取った場合、ＣＰＵ５は次に、フォーマット変換回路６にてフォーマット変換せずに出力する。その後、制御部であるＣＰＵ５は音声出力回路８に備えた音源にて「接続された受像機に映像が表示されているか」をユーザーに問い合わせる。ユーザーはその音声を聞いて、リモコン送信機１０により制御部であるＣＰＵ５に対して表示可能ＯＲ表示不可能の指示を与える。ＣＰＵ５は指示を受け取って、表示不可能の指示を受け取った場合強制的に４８０Ｐあるいは４８０Ｉしか表示できないと判断し図２に示すＤ２設定を行い、接続モニタ設定を完了する。
【００２０】
表示可能の指示を受け取った場合、ＣＰＵ５は次に、フォーマット変換回路６にて強制的に７２０ｐにフォーマット変換して出力する。その後、制御部であるＣＰＵ５は音声出力回路８に備えた音源にて「接続された受像機に映像が表示されているか」をユーザーに問い合わせる。ユーザーはその音声を聞いて、リモコン送信機１０により制御部であるＣＰＵ５に対して表示可能ＯＲ表示不可能の指示を与える。ＣＰＵ５は指示を受け取って、表示不可能の指示を受け取った場合強制的に１０８０Ｉ、４８０Ｐあるいは４８０Ｉしか表示できないと判断し、図２に示すＤ３設定を行い、接続モニタ設定を完了する。
【００２１】
表示可能の指示を受け取った場合、７２０Ｐ、１０８０Ｉ、４８０Ｐ、４８０Ｉが表示可能と判断し、図２に示す指示を与え、Ｄ４設定を行い、接続モニタ設定を完了する。
【００２２】
以上説明したように、本発明の映像出力装置は接続している受像機９がユーザーとインタラクティブに、どのフォーマットまで対応して表示可能かを判別することができるので、受像機９に合わせてフォーマット変換回路６を最適に制御することができる。すなわち、受信した映像信号のフォーマットのままで表示可能であればフォーマット変換せず、高解像度の映像信号を出力することができ、受信した映像信号のフォーマットのままで表示不可能であれば、最適なフォーマットにフォーマット変換して映像出力することができる。
【００２３】
このようにして、工場出荷時において出力される映像信号のフォーマットが４８０Ｉと初期設定されていても、接続した受像機９が例えば１０８０Ｉの信号が表示可能であれば、本発明のユーザーインタフェースをもてば確実に高解像度の映像を視聴することが可能となる。また、受像機９に映像が全く表示されないという不具合も解決できる。
【産業上の利用可能性】
【００２４】
本発明の映像出力装置は、ユーザーが接続した受像機に対して、高解像度の映像が放送されていても、低解像度の映像で視聴したり、あるいは低解像度の映像でしか表示できない受像機に接続した場合に、誤って高解像度の表示設定にして受像機に全く映像が表示されないといった課題を解決できる効果を有し、テレビ受像機と接続する端子（例えばＤ端子）を備え、複数の映像フォーマットを表示可能なデジタル放送受信機に有用である。
【図面の簡単な説明】
【００２５】
【図１】本発明装置の１実施例の構成を示したブロック図
【図２】Ｄ端子を通過するフォーマットを示す図
【図３】本発明装置の動作説明図
【符号の説明】
【００２６】
１    トランスポートストリーム入力端子
２    トランスポート・オーディオ・ビデオデコード回路
３    重ね合わせ器
４    ＯＳＤコントローラ
５    ＣＰＵ
６    フォーマット変換回路
７    映像出力回路
８    音声出力回路
９    受像機
１０    リモコン
【図１】
2005117306.tif 000003
【図２】
2005117306.tif 000004
【図３】
2005117306.tif 000005